(57)【要約】  【課題】過去症例や過去の読影結果を積極的に活用することにより、読影医が簡便にレポート作成を行うことができるレポート作成支援システムを提供することである。  【解決手段】  読影レポートに含まれる各項目について、該項目の属性を示す属性情報と前記項目の内容を示す本体情報とを関連付けたタグ情報を生成し、前記読影レポートに含まれる全ての項目について生成したタグ情報を関連付けたファイル情報を格納する構造化レポート情報ＤＢ３１と、前記タグ情報に基づいて構造化レポート情報ＤＢ３１を検索する検索エンジン部２２とを備える。  【選択図】図２
2006155002.tif 000002
【特許請求の範囲】
【請求項１】
医用画像の読影レポートを作成支援するためのレポート作成支援システムにおいて、
過去の読影時に作成された読影レポートであって、構造化タグ形式で表現された読影レポートを格納する読影レポート格納手段と、
所望の少なくとも一つのタグ情報を検索キーとして入力する入力手段と、
前記入力された検索キーに基づいて前記読影レポート格納手段に格納された複数の読影レポートの中から参考にする読影レポートを検索出力する検索手段と、
を備えることを特徴とするレポート作成支援システム。
【請求項２】
医用画像に含まれる異常候補陰影を抽出するための医用画像診断支援装置から、前記異常候補陰影に関する情報を取得する情報取得手段を更に備え、
前記検索手段は、前記情報取得手段が取得した異常候補陰影に関する情報に基づいて検索する、
ことを特徴とする請求項１に記載のレポート作成支援システム。
【請求項３】
前記読影レポート格納手段に格納された読影レポートと、前記読影レポートに基づいて診断された診断結果又は前記読影レポートに記載された所見内容を確認するために行われた病理検査結果の少なくとも一つを含む確定診断情報と、を対応付けて格納する確定診断情報格納手段と、
前記検索手段により抽出された読影レポートに対応する確定診断情報を、前記確定診断情報格納手段から抽出する関連症例制御部と、を更に備える、
ことを特徴とする請求項１又は２の一つに記載のレポート作成支援システム。
【請求項４】
病気の症状又は医用画像を読影した結果認められると想定される所見と、前記症状が発現する又は前記所見が認められると想定される想定病名とを対応付けて格納する想定病名格納手段を更に備え、
前記入力手段は、前記病気の症状又は所見を示す情報の入力を受付け、
前記検索手段は、前記入力された病気の症状又は所見を示す情報に基づいて前記想定病名格納手段を検索し、前記入力された病気の症状又は所見を示す情報に関連する想定病名情報を抽出する、
ことを特徴とする請求項１乃至３の一つに記載のレポート作成支援システム。
【請求項５】
医用画像を読影した結果認められた所見情報又は想定病名情報の少なくとも一つと、前記所見情報または想定病名情報とともに入力される必要がある必須関連情報とを格納する所見チェック情報格納手段を更に備え、
前記入力手段は、前記所見情報又は想定病名情報のうちの一つの入力を受付け、
前記検索手段は、前記入力された前記所見情報又は想定病名情報のうちの一つを検索キーとして前記所見チェック情報格納手段を検索し、前記所見情報又は想定病名情報のうちの一つに対応付けられた前記必須関連情報を抽出し、
前記必須関連情報の全てが入力されていない場合に、前記必須関連情報が不足していることを伝える通知手段を更に備える、
ことを特徴とする請求項１乃至４の一つに記載のレポート作成支援システム。
【発明の詳細な説明】
【技術分野】
【０００１】
本発明は、レポート作成支援システムに係り、特に、操作者による検索キーワードの設定に依存することなく関連症例の検索を実行することができる技術に関する。
【背景技術】
【０００２】
読影レポートを作成する場合、過去のレポートを参考にする場合がある。そのため特殊な症例や典型的な症例をティーチングファイルと呼ばれる紙媒体に参照しやすい形で保管することが行われている。
【０００３】
レポート作成支援システムにおいても、その運用を電子的に実装するケースが少なくない。
【０００４】
特許文献１には、入力されたレポート情報中の文字列に検索対象識別子を挿入して保存しておくことにより、その文字列に検索キーが含まれているかどうかを検索することができる医用レポートシステムが開示されている。
【特許文献１】特開２００１−１２５９９５号公報
【発明の開示】
【発明が解決しようとする課題】
【０００５】
しかし、入力された文字列に基づいて検索する場合に、例えば「肺がん」を検索キーとすると「肺がんではない」という文字列を含むレポートと「肺がんである」という文字列を含むレポートとを抽出してしまうことがある。
【０００６】
また、ある症例をどのような文字列を用いて表現するかについて、入力者（操作者）の個人差が生じたり、何をもって該当症例であるかを判断することが難しいために症例の判断の個人差が生じたりすることがある。その結果、これらに起因する読影レポートの質の不均一が生じる場合がある。
【０００７】
さらに、類似レポートの検索という技術もあるがまだ実用化のレベルではなく、類似と判断する情報の設定が予め必要であるという課題もある。
【０００８】
また、健康診断分野では医用画像（放射線画像）を読影できる専門医が多くいないため、その分野では読影の質と効率を上げることが必要である。
【０００９】
本発明は、上記の問題に鑑みて成されたものであり、読影医のレベルに依存せずにある程度均一なレベルのレポートを作成するために、また、専門医が少ない健診分野での読影の質と効率向上のために、過去症例や過去の読影結果を積極的に活用することができるレポート作成支援システムを提供することを目的とする。
【課題を解決するための手段】
【００１０】
前記目的を達成するために、本発明に係るレポート作成支援システムは、医用画像の読影レポートを作成支援するためのレポート作成支援システムにおいて、過去の読影時に作成された読影レポートであって、構造化タグ形式で表現された読影レポートを格納する読影レポート格納手段と、所望の少なくとも一つのタグ情報を検索キーとして入力する入力手段と、前記入力された検索キーに基づいて前記読影レポート格納手段に格納された複数の読影レポートの中から参考にする読影レポートを検索出力する検索手段と、を備える。
【００１１】
また、医用画像に含まれる異常候補陰影を抽出するための医用画像診断支援装置から、前記異常候補陰影に関する情報を取得する情報取得手段を更に備え、前記検索手段は、前記情報取得手段が取得した異常候補陰影に関する情報に基づいて検索する。
【００１２】
また、前記読影レポート格納手段に格納された読影レポートと、前記読影レポートに基づいて診断された診断結果又は前記読影レポートに記載された所見内容を確認するために行われた病理検査結果の少なくとも一つを含む確定診断情報と、を対応付けて格納する確定診断情報格納手段と、前記検索手段により抽出された読影レポートに対応する確定診断情報を、前記確定診断情報格納手段から抽出する関連症例制御部と、を更に備える。
【００１３】
また、病気の症状又は医用画像を読影した結果認められると想定される所見と、前記症状が発現する又は前記所見が認められると想定される想定病名とを対応付けて格納する想定病名格納手段を更に備え、前記入力手段は、前記病気の症状又は所見を示す情報の入力を受付け、前記検索手段は、前記入力された病気の症状又は所見を示す情報に基づいて前記想定病名格納手段を検索し、前記入力された病気の症状又は所見を示す情報に関連する想定病名情報を抽出する。
【００１４】
また、医用画像を読影した結果認められた所見情報又は想定病名情報の少なくとも一つと、前記所見情報または想定病名情報とともに入力される必要がある必須関連情報とを格納する所見チェック情報格納手段を更に備え、前記入力手段は、前記所見情報又は想定病名情報のうちの一つの入力を受付け、前記検索手段は、前記入力された前記所見情報又は想定病名情報のうちの一つを検索キーとして前記所見チェック情報格納手段を検索し、前記所見情報又は想定病名情報のうちの一つに対応付けられた前記必須関連情報を抽出し、前記必須関連情報の全てが入力されていない場合に、前記必須関連情報が不足していることを伝える通知手段を更に備える。
【発明の効果】
【００１５】
本発明によれば、タグ情報で検索することができるため、検索キーの登録といったレポート作成者に依存する検索キーの定義がなくなり、均一な検索結果を得ることが出来る。そのため、過去症例や過去の読影結果を積極的に活用することができるレポート作成支援システムを提供することができる。更に、構造化レポートの構造化タグを元に過去の読影レポートの検索を行うため、全文検索と比較して性能向上を図ることができる。
【発明を実施するための最良の形態】
【００１６】
以下、添付図面に従って本発明に係るレポート作成支援装置の好ましい実施の形態について詳説する。なお、発明の実施の形態を説明するための全図において、同一機能を有するものは同一符号を付け、その繰り返しの説明は省略する。
【００１７】
図１は、発明の一実施の形態に係るレポート作成支援システムの構成を示すハードウェア構成図である。
【００１８】
図１のレポート作成支援システム１は、医用画像撮影装置２と、医用画像撮影装置２により生成された医用画像や読影レポート、及びレポート作成支援処理に必要な情報を格納するデータベース３と、医用画像に基づいて読影レポートの作成支援を行なうレポート作成支援装置１０とを備え、医用画像撮影装置２とデータベース３とレポート作成支援装置１０とは、ＬＡＮ４等のネットワークにより互いに接続される。
【００１９】
医用画像撮影装置２は、Ｘ線ＣＴ装置、ＭＲ装置、ＵＳ装置、Ｘ線装置、核医学装置など、被検体の画像を撮影可能な装置により構成される。
【００２０】
レポート作成支援装置１０は、主として各構成要素の動作を制御する中央処理装置（ＣＰＵ）１１、装置の制御プログラムが格納されたり、プログラム実行時の作業領域となったりする主メモリ１２と、オペレーティングシステム（ＯＳ）、周辺機器のデバイスドライブ、後述するレポート作成支援処理等を行うためのプログラムを含む各種アプリケーションソフト等が格納される磁気ディスク１３と、表示用データを一時記憶する表示メモリ１４と、この表示メモリ１４からのデータに基づいて画像を表示するＣＲＴモニタや液晶モニタ等のモニタ１５と、キーボード１６と、位置入力装置としてのマウス１７、マウス１７の状態を検出してモニタ１５上のマウスポインタの位置やマウス１７の状態等の信号をＣＰＵ１１に出力するコントローラ１７１とを備え、上記各構成要素は共通バス１８により互いに接続される。
【００２１】
本実施の形態においては、レポート作成支援装置１０は、ＬＡＮ４を介してデータベース３から医用画像を読み出すが、レポート作成支援装置１０に接続された記憶装置、例えばＦＤＤ、ＣＤ−ＲＷドライブ、ＭＯドライブ、ＺＩＰドライブ等を備え、それらのドライブから医用画像を読み込んでも良い。また、ＬＡＮ４を経由して医用画像撮影装置２から直接医用画像を取得してもよい。
【００２２】
次に、図２に基づいてレポート作成支援システム１のシステム構成を説明する。図２は、レポート作成支援システム１のシステム構成を説明するためのブロック図である。
【００２３】
レポート作成支援システム１は、読影レポートに記載する内容及び検索キーの入力を受付けるレポート入力処理部２１と、入力された検索キーに基づいて検索処理を行なう検索エンジン部２２と、検索エンジン部２２が抽出した過去の読影レポートや関連症例を表示して参照するための関連症例参照部２３と、関連症例参照部２３に引き渡すデータに対して確定診断情報に基づいて更に絞り込み処理やソート処理を行なう関連症例制御部２４とを備える。また、医用画像から異常候補陰影を抽出するＣＡＤ(Computer Aided Detection)システム２５を備える。
【００２４】
データベース３には、後述する構造化レポート形式に基づいて読影レポートを格納する構造化レポート情報ＤＢ３１と、所見及び症例とそれらの所見及び症例から想定される病名が格納された所見・症例―病名関連情報ＤＢ３２と、所見用語とその所見用語とともに入力される必要がある必須関連情報が格納された所見―チェックリスト情報ＤＢ３３と、読影レポートとその読影レポートに基づいて下された確定診断情報又は病理検査結果が格納された確定診断情報ＤＢ３４とが格納される。
【００２５】
次に図３及び図４に基づいて構造化レポート情報ＤＢ３１に格納される読影レポートについて説明する。図３は、この構造化レポートの構造を示す概念図、図４は構造化タグ形式に基づくデータの構造を示す模式図である。
【００２６】
読影レポートは、図３に示すように一人の被検体に対して一つのレポートが作成される。そして、レポート１０１の下に、読影レポートに記載される各項目に関する情報、例えば、被検体に関する患者情報１０２、検査内容を示す検査情報１０３、検査に使用した医用画像撮影装置２を特定する情報や撮影条件に関する情報などが含まれる撮像装置情報１０４、医用画像撮影装置２により撮影された複数の医用画像のまとまりからなる一連の撮像情報１０５、が階層構造で格納される。更に、一連の撮像情報１０５の下には、各一連の撮像情報１０５に含まれる一つ一つの医用画像１０６と、医用画像を読影した医師がつけたコメントからなる所見情報１０７が同一階層で格納される。また、医用画像１０６の下には、医用画像１０６に含まれる結節や、その結節に対して付けられたコメントが格納される。更に、所見情報１０７の下には、所見情報１０７に関連する所見項目情報１０８やメモ情報が格納される。
【００２７】
図３では検査情報１０３に対して複数の撮像装置情報１０４が関連付けられているが、一つの検査に対して一つの撮像装置のみを使用する場合には、検査情報１０３と撮像装置情報１０４とは１対１関係で関連付けられる。
【００２８】
これらの患者情報１０２、検査情報１０３、撮像装置情報１０４、一連の撮像情報１０５、医用画像１０６、所見情報１０７、及び所見項目情報１０８等は、図４に示すように、情報の属性を示す属性情報と、情報の内容を示す本体情報とから構成されるタグ情報を形成する。
【００２９】
属性情報には、例えばグループナンバーを示す「Ｇ．Ｎ」領域、エレメントナンバーを示す「Ｅ．Ｎ」領域、本体情報の種別、例えば文字列か数字列かを示す「Ｔｙｐｅ」領域、本体情報のデータ列の長さを示す「Ｌｅｎ」領域などがある。
【００３０】
また本体情報は、可変長のデータ列からなる「ｄａｔａ」領域により構成され、被検体の氏名、医用画像撮影装置２の種別、撮影条件などを記述する文字列や、医用画像を構成する画像データなどが格納される。
【００３１】
読影レポートに記載される各項目について属性情報及び本体情報を関連付けて構成したタグ情報を形成し、更に、全ての項目について形成したタグ情報を関連付けて形成したファイル情報を作成する。そして、一枚の読影レポートに関する情報を一つのファイル情報として構造化レポート情報ＤＢ３１に格納する。
【００３２】
[第一の実施の形態]
図５及び図６に基づいて、第一の実施の形態にかかるレポート作成支援処理について説明する。図５は、第一の実施の形態にかかるレポート作成支援処理の手順を示すフローチャートである。図６は、第一の実施の形態にかかるレポート作成支援処理で使用する操作画面例を示す模式図である。以下図５のステップ順に説明する。
【００３３】
（ステップＳ５０１）
操作者は、キーボード１６又はマウス１７を操作して、モニタ１５に表示されたレポート入力処理部２１の所定欄に、想定病名や所見を認める部位の名称や形状を入力する（Ｓ５０１）。
【００３４】
図６の例では、レポート入力処理部２１において、「患者情報」と「想定病名」が入力される。次に、検索したい情報項目、図６の例では「想定病名」の行の左端に備えられたラジオボタン又はチェックボタンを選択する。図６の●印は検索対象項目であることを示す。○印は検索対象外であることを示す。
【００３５】
（ステップＳ５０２）
入力された語を検索キーとして、検索エンジン部２２が、過去の構造化レポート情報を検索する（Ｓ５０２）。入力された語（本体情報に相当する）により、検索対象のタグ情報は決まるので、このタグ情報を含むファイル情報を構造化レポート情報ＤＢ３１から抽出する。図６では、右端最下段の「検索」アイコン６１をクリックすると検索要求がなされる。
【００３６】
（ステップＳ５０３）
検索して抽出した結果をモニタ１５の関連症例参照部２３に表示する（Ｓ５０３）。図６の関連症例参照部２３のリストの中に、参照したい画像あるいはレポートが存在する場合は、「画像リンク」あるいは「レポートリンク」の項目をクリックすることで、該当情報へのアクセスが出来る。図６の例では、検索結果を表示する関連症例参照部２３と、医用画像やレポートとは、別ウィンドウが生成されその中に表示される。
【００３７】
本実施の形態に係るレポート作成支援システム１により、入力された情報からタグ情報を生成し、そのタグ情報に基づいて自動的に関連参照症例情報を抽出する事で、検索漏れを少なくする事が出来る。
【００３８】
［第二の実施の形態］
図７及び図８に基づいて、第二の実施の形態にかかるレポート作成支援処理について説明する。図７は、第二の実施の形態にかかるレポート作成支援処理の手順を示すフローチャートである。図８は、第二の実施の形態にかかるレポート作成支援処理で使用する操作画面例を示す模式図である。以下図７のステップ順に説明する。
【００３９】
（ステップＳ７０１）
画像情報を元にＣＡＤシステム２５により、腫瘍などの抽出を行う（Ｓ７０１）。図８（ｂ）は、ＣＡＤシステム２５により抽出された異常候補陰影８１を示す。
【００４０】
図８（ａ）では、レポート入力処理部２１においてＣＡＤシステム２５が検出した異常候補陰影８１を示す検出結節番号「１２××」までを入力した状態である。
【００４１】
（ステップＳ７０２）
抽出された情報に読影医が所見を記述し、その情報がＣＡＤの出力結果となる（Ｓ７０２）。
【００４２】
(ステップＳ７０３）
レポート入力処理部２１において、想定病名や所見を認める部位の名称や形状がシステムに入力される。検索したい情報項目（図８の例では「所見」）の行の左端の●は検索対象項目である事を示す。○は検索対象外であることを示す。
【００４３】
（ステップＳ７０４）
ステップＳ５０２と同様、ＣＡＤ結果（ステップＳ７０２で入力された所見）、あるいは入力語を検索キーとして、検索エンジンが、過去の構造化レポート情報を検索する（Ｓ７０４）。図８では、右端最下段の検索アイコン８０をクリックすることにより検索要求を行なう。処理の内容はステップＳ５０２と同様である。
【００４４】
（ステップＳ７０５）
検索された結果を関連症例参照部２３に表示する（Ｓ７０５）。
【００４５】
本実施の形態によると、入力情報が読影医だけではなく、ＣＡＤシステム２５から自動入力することができる。
【００４６】
［第三の実施の形態］
図９及び図１０に基づいて、第三の実施の形態にかかるレポート作成支援処理について説明する。図９は、第三の実施の形態にかかるレポート作成支援処理の手順を示すフローチャートである。図１０は、第三の実施の形態にかかるレポート作成支援処理で使用する操作画面例を示す模式図である。以下図９のステップ順に説明する。
【００４７】
（ステップＳ９０１）
操作者は、キーボード１６又はマウス１７を操作して、想定病名や所見を認める部位の名称や形状を入力し、レポート入力処理部２１が入力処理を受付ける（Ｓ９０１）。
【００４８】
図１０は、レポート入力処理部２１において「患者情報」と「想定病名」と「検査種別（検査名、部位）」を入力した状態を示す。
【００４９】
次に、検索したい情報項目、図１０の例では「想定病名」及び「検査種別」の行の左端に備えられたラジオボタン又はチェックボタンを選択する。図６の●印は検索対象項目であることを示す。○印は検索対象外であることを示す。
【００５０】
（ステップＳ９０２）
入力された語を検索キーとして、検索エンジン部２２が、過去の構造化レポート情報を検索する（Ｓ９０２）。検索処理の内容はステップＳ５０２と同様である。図１０は、右端最下段の「検索（確定情報）」ボタン１００をクリックすると検索要求がなされる。
【００５１】
（ステップＳ９０３）
関連症例制御部２４は、確定診断情報ＤＢ３４から検索結果に対応する確定診断情報を検索し抽出する。
【００５２】
（ステップＳ９０４）
関連症例制御部２４は、抽出した確定診断情報を確定診断の確度に従った順序に並べるか、ある程度の確度を持つ情報に絞り込む。
【００５３】
通常、確定診断は読影レポートが作成された後、病理検査などによって得られる場合が多い。ここでの確定診断情報はそのような病理検査結果情報とその確度である。その確定診断病名と読影結果に得られた想定病名が合致すれば確度が高かったと、そうでなければ確度は低かったと判断する。そして、確度の高かった症例は有効な情報として再利用することができる。
【００５４】
（ステップＳ９０５）
関連症例制御部２４で指定された情報を指定された順序で、関連症例参照部２３に表示する。
【００５５】
図１０の例では、下段の「関連症例参照部」に検索結果が表示される。その結果には確定度が表示されそのレポートの評価を判断する事が出来る。
【００５６】
本実施の形態により、読影レポートと確定診断情報との組合せで確度の高い情報を優先して提供出来る。
【００５７】
［第四の実施の形態］
図１１及び図１２に基づいて、第四の実施の形態にかかるレポート作成支援処理について説明する。図１１は、第四の実施の形態にかかるレポート作成支援処理の手順を示すフローチャートである。図１２は、第四の実施の形態にかかるレポート作成支援処理で使用する操作画面例を示す模式図である。以下図１１のステップ順に説明する。
【００５８】
（ステップＳ１１０１）
操作者は、キーボード１６又はマウス１７を操作して、想定病名や所見を認める部位の名称や形状を入力し、レポート入力処理部２１が入力処理を受付ける（Ｓ１１０１）。
【００５９】
図１２は、レポート入力処理部２１において「患者情報」及び「所見（正常、形状、大きさ）」を入力した状態を示す。
【００６０】
（ステップＳ１１０２）
入力された語を検索キーとして、検索エンジン部２２が、過去の構造化レポート情報を検索する（Ｓ１１０２）。検索処理の内容はステップＳ５０２と同様である。図１２の例では、検索したい情報項目では「所見性状」、「形状」及び「大きさ」の行の左端に備えられたラジオボタン又はチェックボタンを選択する。
【００６１】
（ステップＳ１１０３）
検索エンジン部２２は、入力された情報あるいは検索結果から、所見・症例-病名関連情報ＤＢ３２を検索し、想定病名情報を得る。「所見・症例-病名関連情報」とは、症状から想定される病名の対応関係を整理した情報である。
【００６２】
例えば、乳房画像所見で石灰化が認められたら、○○％で乳がんを、○○％で××を疑うという情報が整理されたものである。
【００６３】
通常の医学書では、例えば乳がんの場合は○○症状があり、○○検査で○○の所見が得られるという記述である。所見・症例-病名関連情報は所謂その逆引き辞典のようなものである。
【００６４】
（ステップＳ１１０４）
検索された過去レポートの結果あるいは想定病名情報を関連症例参照部２３に表示する。
【００６５】
本実施の形態により、画像やレポートを考慮し、想定病名を参照して、今回の画像を読影することができるため、所見や症状と病名の関連情報を利用しながらレポート作成を支援する事が出来る。
【００６６】
［第五の実施の形態］
図１３及び図１４に基づいて、第五の実施の形態にかかるレポート作成支援処理について説明する。図１３は、第五の実施の形態にかかるレポート作成支援処理の手順を示すフローチャートである。図１４は、第五の実施の形態にかかるレポート作成支援処理で使用する操作画面例を示す模式図である。以下図１３のステップ順に説明する。
【００６７】
（ステップＳ１３０１）
操作者は、キーボード１６又はマウス１７を操作して、想定病名や所見を認める部位の名称や形状を入力し、レポート入力処理部２１が入力処理を受付ける（Ｓ１３０１）。
【００６８】
図１４は、レポート入力処理部２１において「患者情報」及び「想定病名」を入力した状態を示す。
【００６９】
（ステップＳ１３０２）
入力された語を検索キーとして、検索エンジン部２２が、過去の所見―チェックリスト情報ＤＢ３３を検索する（Ｓ１３０２）。検索処理の内容はステップＳ５０２と同様である。図１４の例では、右端最下段のチェックアイコン１４０ボタンをクリックすることにより検索要求が行なえる。
【００７０】
（ステップＳ１１０３）
検索されたチェックリスト結果を関連症例参照部２３に表示する（Ｓ１１０３）。「想定病名」と判断するに足る情報が記載されているかどうかをシステムがチェックし、不足情報がある旨の通知を行なう。
【００７１】
図１４の例では、下段の関連症例参照部２３にチェック結果として、「「胃潰瘍」を疑うためには、「形状」「大きさ」の情報を記載しなければなりません」という表示が行なわれる。不足情報がある旨の通知は、本実施の形態のように不足情報の表示を行い、入力を促すように構成しても良いし、合成音声により伝えたり、また単なるエラー音を発生させることにより伝えたりしてもよい。
【００７２】
上記実施の形態においては、レポート入力処理部２１に文字列等を入力したが、プルダウンメニューを表示し、所定の用語の中から読影レポートに記載する用語を選択させてもよい。
【００７３】
本実施の形態により、医師がある所見を認めた場合、その他にチェックすべき部位や形状や症状などをシステムがガイドする事により、読影の漏れなどを軽減することができる。これにより、専門医が不足している健診の分野や経験が浅い読影医などが作成するレポートの質を均一にする事が期待でき、ひいては受診者や患者の診断・診療の質の向上につながる事が期待できる。
【図面の簡単な説明】
【００７４】
【図１】発明の一実施の形態に係るレポート作成支援システムの構成を示す  ハードウェア構成図
【図２】レポート作成支援システム１のシステム構成を説明するためのブロック図
【図３】構造化レポートの階層構造を示す概念図
【図４】構造化タグ形式に基づくデータの構造を示す模式図
【図５】第一の実施の形態にかかるレポート作成支援処理の手順を示すフローチャート
【図６】第二の実施の形態にかかるレポート作成支援処理で使用する操作画面例を示す模式図
【図７】第二の実施の形態にかかるレポート作成支援処理の手順を示すフローチャート
【図８】第二の実施の形態にかかるレポート作成支援処理で使用する操作画面例を示す模式図
【図９】第三の実施の形態にかかるレポート作成支援処理の手順を示すフローチャート
【図１０】第三の実施の形態にかかるレポート作成支援処理で使用する操作画面例を示す模式図
【図１１】第四の実施の形態にかかるレポート作成支援処理の手順を示すフローチャート
【図１２】第四の実施の形態にかかるレポート作成支援処理で使用する操作画面例を示す模式図
【図１３】第五の実施の形態にかかるレポート作成支援処理の手順を示すフローチャート
【図１４】第五の実施の形態にかかるレポート作成支援処理で使用する操作画面例を示す模式図
【符号の説明】
【００７５】
１…レポート作成支援システム、２…医用画像撮影装置、３…データベース、４…ＬＡＮ、１０…レポート作成支援装置、１１…ＣＰＵ、１２…主メモリ、１３…磁気ディスク、１４…表示メモリ、１５…モニタ、１６…キーボード、１７…マウス、１７１…コントローラ、１８…共通バス
【図１】
2006155002.tif 000003
【図２】
2006155002.tif 000004
【図３】
2006155002.tif 000005
【図４】
2006155002.tif 000006
【図５】
2006155002.tif 000007
【図６】
2006155002.tif 000008
【図７】
2006155002.tif 000009
【図８】
2006155002.tif 000010
【図９】
2006155002.tif 000011
【図１０】
2006155002.tif 000012
【図１１】
2006155002.tif 000013
【図１２】
2006155002.tif 000014
【図１３】
2006155002.tif 000015
【図１４】
2006155002.tif 000016